(57)【特許請求の範囲】
【請求項１】
上下方向の軸線まわりに回動する扉に取り付けられるドアクローザと、上枠に設置されて該上枠に沿って移動可能な移動部材と、ドアクローザと移動部材とを連結してドアクローザによる閉じ力を移動部材に作用させるリンクと、上枠に固定設置され、ドアクローザによる閉じ力で移動部材が閉じ側へ移動しないように常時は移動部材を保持し且つ非常時にはその保持を解除する保持手段とを備えた非常用扉の閉鎖装置において、
移動部材は、リンクを回動自在に支持すべく上枠から下方に突出した支軸を上枠に沿って案内する支軸ガイドを備えた第一の移動部材と、上枠に沿うように第一の移動部材に対して並設され保持手段によって係止される第二の移動部材とから構成され、リンクと第一の移動部材との連結箇所から保持手段までの上枠に沿った離間距離が調節できるように、支軸が支軸ガイドに対して上枠に沿って相対移動可能に構成され、該相対移動を阻止するための固定部材が上枠の外部から操作できるように上枠から表出した状態で支軸に設けられており、
第一の移動部材及び支軸ガイドが、第二の移動部材の下方まで延びていることを特徴とする非常用扉の閉鎖装置。
【請求項２】
上枠内にその長手方向に沿って設置されるケーシングを備え、該ケーシング内に移動部材をスライド可能に設置し、移動部材がケーシングの内面をガイドレールとして摺動しながらスライド移動する請求項１記載の非常用扉の閉鎖装置。
【請求項３】
第一の移動部材の支軸ガイドが角筒状に構成され、該支軸ガイドを構成する下面壁部が上枠に沿ったスリットを有する板状のガイドプレート部を構成し、支軸は、ガイドプレート部の下側に位置してリンクを支持する支持面を有する筒状体と、該筒状体に挿入されると共にスリットを貫通する軸部とガイドプレート部の上側に位置して軸部から側方に突出する鍔部とを有する芯材とを備え、固定部材としてのボルトを芯材の軸部に螺入させて筒状体と芯材の鍔部とでガイドプレート部を上下に挟持することにより支軸の相対移動が阻止されるように構成されている請求項１又は２記載の非常用扉の閉鎖装置。
【発明の詳細な説明】
【技術分野】
【０００１】
本発明は、常時は扉を所定角度に開放させておき、火災時等の非常時にはドアクローザの閉じ力によって扉を閉じる非常用扉の閉鎖装置の改良に関する。
【背景技術】
【０００２】
この種の閉鎖装置としては既に下記特許文献１，２のようなものが提案されている。即ち、一般に、上下方向の軸線まわりに回動する非常用扉は、その扉に取り付けられたドアクローザの閉じ力によって閉扉側に付勢されているが、該閉じ力は上枠に移動可能に取り付けられた移動部材にリンクを介して伝達され、該移動部材が保持手段によって所定箇所に保持されることによって扉は常時は所定の開き角度に保持されている。そして、火災時等の非常時には保持手段へ通電あるいは常時の通電が遮断されることによって保持手段による移動部材の保持が解除され、移動部材がドアクローザの閉じ力によって上枠に沿って移動することで扉が閉じられることとなる。
【０００３】
また、下記特許文献２では、電気解除用フックと係止連結部の本体との間にスペーサを介在させることによって、スペーサを介在させない場合に比して扉の開き角度を小さくする方向に調節できる構造が開示されている。
【０００４】
【特許文献１】実開昭６０−４７５４４号公報
【特許文献２】特開２００６−２４７１１８号公報
【発明の開示】
【発明が解決しようとする課題】
【０００５】
しかしながら、上記特許文献２記載のようにスペーサを介在させる構造において扉の開き角度を調節する場合には、上枠に設置した閉鎖装置を取り外したうえで分解し、ネジにより一体化されている電気解除用フックと係止連結部の本体とをそのネジを取り外すことで分離し、その両者の間にスペーサを介在させた後に両者を再びネジで締結一体化させ、しかる後に、上枠内に設置する必要がある。また、スペーサを介在させる構造であるので調節できる角度範囲も制限されるうえに、スペーサのない基準の開き角度からその角度を狭くする方向に調節することになる。従って、閉鎖装置の施工後において、現場で扉の開き角度を容易に調節できる構造が求められる。
【０００６】
そこで本発明は、施工後において扉の開き角度を容易に調節することのできる非常用扉の閉鎖装置を提供することを課題とする。
【課題を解決するための手段】
【０００７】
本発明は、上記課題を解決すべくなされたものであり、本発明に係る非常用扉の閉鎖装置は、上下方向の軸線まわりに回動する扉に取り付けられるドアクローザと、上枠に設置されて該上枠に沿って移動可能な移動部材と、ドアクローザと移動部材とを連結してドアクローザによる閉じ力を移動部材に作用させるリンクと、上枠に固定設置され、ドアクローザによる閉じ力で移動部材が閉じ側へ移動しないように常時は移動部材を保持し且つ非常時にはその保持を解除する保持手段とを備えた非常用扉の閉鎖装置において、移動部材は、リンクを回動自在に支持すべく上枠から下方に突出した支軸を上枠に沿って案内する支軸ガイドを備えた第一の移動部材と、上枠に沿うように第一の移動部材に対して並設され保持手段によって係止される第二の移動部材とから構成され、リンクと第一の移動部材との連結箇所から保持手段までの上枠に沿った離間距離が調節できるように、支軸が支軸ガイドに対して上枠に沿って相対移動可能に構成され、該相対移動を阻止するための固定部材が上枠の外部から操作できるように上枠から表出した状態で支軸に設けられており、第一の移動部材及び支軸ガイドが、第二の移動部材の下方まで延びていることを特徴とする。
【０００８】
該構成の閉鎖装置にあっては、上枠から表出している固定部材を上枠の外部から操作することによって第一の移動部材の支軸の相対移動を阻止することができる。従って、施工後において固定部材を操作して移動部材の支軸の相対移動の阻止を解除すれば、その支軸を支軸ガイドに対して相対移動させることができ、それによってリンクと第一の移動部材との連結箇所から保持手段までの上枠に沿った離間距離を長くして扉の開き角度を狭めたり、逆に、同離間距離を短くして扉の開き角度を広げたりすることができる。
特に、移動部材は、リンクを回動自在に支持すべく上枠から下方に突出した支軸を上枠に沿って案内する支軸ガイドを備えた第一の移動部材と、上枠に沿うように第一の移動部材に対して並設され保持手段によって係止される第二の移動部材とから構成されている。該支軸がリンクと第一の移動部材との連結箇所になるが、該支軸は上枠から下方に突出しているので、その支軸に固定部材を設けることによって下方から容易に固定部材を操作することができる。
【０００９】
特に、移動部材はリンクを回動自在に支持すべく上枠から下方に突出した支軸を備え、該支軸が移動部材の他の部分に対して上枠に沿って相対移動可能に構成され、該支軸の相対移動を阻止するための前記固定部材が支軸に設けられていることが好ましい。該支軸がリンクと移動部材との連結箇所になるが、該支軸は上枠から下方に突出しているので、その支軸に固定部材を設けることによって下方から容易に固定部材を操作することができる。
【００１０】
また、第一の移動部材の支軸ガイドが角筒状に構成され、該支軸ガイドを構成する下面壁部が上枠に沿ったスリットを有する板状のガイドプレート部を構成し、支軸は、ガイドプレート部の下側に位置してリンクを支持する支持面を有する筒状体と、該筒状体に挿入されると共にスリットを貫通する軸部とガイドプレート部の上側に位置して軸部から側方に突出する鍔部とを有する芯材とを備え、固定部材としてのボルトを芯材の軸部に螺入させて筒状体と芯材の鍔部とでガイドプレート部を上下に挟持することにより支軸の相対移動が阻止されるように構成されていることが好ましい。固定部材として芯材の軸部にボルトが螺入されているので、該ボルトを締め付けることで支軸を直接ガイドプレート部にしっかりと固定することができる。また、ボルトを緩めるという操作のみで支軸がガイドプレート部に対してスライド移動可能な状態となるので、ボルトの緩め操作で支軸を容易にスライド移動させて扉の開き角度を広狭調節することができ、しかも、支軸がスライド移動する構成であるので開き角度の微調整も容易である。
【発明の効果】
【００１１】
以上のように、上枠から表出している固定部材を上枠の外部から操作することができるので、施工後において現場で容易に扉の開き角度を調節することができる。
【発明を実施するための最良の形態】
【００１２】
以下、本発明に係る非常用扉の閉鎖装置の一実施形態について図１乃至図１７を参酌しつつ説明する。
開扉状態における平面図と正面図である図１及び図２に示されているように、本実施形態における閉鎖装置は、上枠１００にヒンジ１０１を介して取り付けられて上下方向の軸線Ｔまわりに回動する非常用扉１０２を常時は所定の開き角度に保持して通行を可能とし、非常時は図４及び図５のように閉扉状態として煙等を遮断するものである。かかる閉鎖装置は、扉１０２に取り付けられて閉じ力を発生させるドアクローザ１と、上枠１００内にその長手方向に沿って略水平に固定設置される長尺状のケーシング２と、該ケーシング２をガイドレールとしてその内側にスライド可能に設置される移動部材３と、ドアクローザ１と移動部材３とを連結してドアクローザ１による閉じ力を移動部材３に作用させるリンク４と、ケーシング２内に固定設置されて、ドアクローザ１による閉じ力で移動部材３が閉じ側へ移動しないように常時は移動部材３を保持し且つ非常時にはその保持を解除する保持手段５とを備えている。
【００１３】
尚、本実施形態における閉鎖装置は、電気的に保持手段５による保持を解除する構成であると共に、手動で扉１０２に外力を作用させることによっても扉１０２を閉じることができるように構成されており、図４と図５は電気的に閉扉させた状態の平面図と正面図を示し、図６と図７は手動で閉扉させた状態の平面図と正面図を示している。尚、図中の矢印Ａが開扉方向で矢印Ｂが閉扉方向であり、開扉方向は上下方向の軸線Ｔに近づく方向であり、閉扉方向はその軸線Ｔから離れる方向である。
【００１４】
図３に示すように、上枠１００の下面前側部分（開扉方向側）は段差部１００ｂを介して一段高くなっており、その一段高くなった下面上段部１００ａに閉扉状態の扉１０２の上部が位置し、上枠１００の段差部１００ｂによって上枠１００と扉１０２との間の隙間から煙等が通過しにくいようになっている。また、図５及び図７に示すように、ドアクローザ１は扉１０２の上部内側にネジにより固定され、その主軸１０に閉じ力を発生させる。該主軸１０に前記リンク４の一端部が取り付けられて主軸１０と共に回動し、該リンク４の他端部は前記移動部材３における支軸６に回動可能に支持されている。従って、ドアクローザ１がその主軸１０を回転させると、リンク４は主軸１０を中心に回動し、ドアクローザ１による閉じ力が支軸６を介して移動部材３に伝達される。尚、扉１０２の上面は、図５や図７に示すように、部分的に下側に凹んでおり、該凹部１０２ａに面するようにドアクローザ１が取り付けられると共に、閉扉状態において凹部１０２ａにリンク４が位置する。尚、図１及び後述の図１６、図１７の符号Ｓは、扉１０２の開閉動作に伴うドアクローザ１の主軸１０の軌跡である。
【００１５】
前記ケーシング２は、下方に開口している上枠１００の下面上段部１００ａから上枠１００内に挿入されて、図３のようにネジによりケーシング支持部材１０３に取り付けられ、ケーシング２の下面は上枠１００の下面上段部１００ａと面一とされる。より詳細には、図５、図７に示すように、閉扉状態において扉１０２の上面の凹部１０２ａに上下対向する上枠１００の位置にケーシング２が配置される。該ケーシング２は、図１２のように、下方開口の角筒状であって、例えば金属製であり、下方開口となるようにコの字状に板金折曲等により形成され、その閉扉側の一端部に蓋体２ｄ（図１、図１６、図１７参照）が取り付けられることにより、下方開口の角筒状に形成されている。そして、このケーシング２の下面は、化粧板とも称される板状のカバー７によって覆われている。また、図１２に示すようにケーシング２の側面下端部には、移動部材３を下方から支持すべく、長手方向の所定長さに亘って内側に突出する鍔部２ｃが形成され、カバー７にはスリット状の長孔７ａが形成されており、ケーシング２の両鍔部２ｃ間のスリット状の開口２ｅとカバー７のスリット状の長孔７ａから、前記移動部材３の支軸６が下方に突出している。尚、ケーシング２やカバー７の長さは、扉１０２の上面の凹部１０２ａの長さよりも僅かに短く設定される。
【００１６】
該移動部材３は、係止部として開扉方向に伸びる電気解除用フック４６を有し、前記保持手段５は、移動部材３の電気解除用フック４６を係止することによって移動部材３を所定位置に保持し、移動部材３の電気解除用フック４６の係止を解除することによって移動部材３の閉扉方向の移動を許容する。かかる保持手段５は、移動部材３の電気解除用フック４６の係止とその解除を電気的に行うものであるが、従来のものと同様の構成であるので図示を省略してその概略を説明する。保持手段５は、ケーシング２内に固定されたソレノイドを備え、該ソレノイドが非常時に通電によりあるいは常時の通電の解除によってそのプランジャを閉扉方向に突出させる。該プランジャの突出により、常時は直線状態に付勢されているトグルリンクが屈曲し、その屈曲変形によって電気解除用係止アームが上下方向に揺動する。電気解除用係止アームの閉扉方向の端部には、前記移動部材３の電気解除用フック４６を係止する係止部としての係止ピン５１が設けられており、電気解除用係止アームが揺動することに伴って係止ピン５１が下方に移動すると、係止ピン５１による移動部材３の電気解除用フック４６の係止が解除される。尚、図２、図５、図７には、保持手段５の係止ピン５１のみを示している。
【００１７】
次に移動部材３について説明すると、該移動部材３は閉扉側に位置して前記支軸６を備えた第一の移動部材１１と、該第一の移動部材１１の開扉側に位置して前記保持手段５によって係止される電気解除用フック４６を備えた第二の移動部材１２とから構成されて、ケーシング２の内面をガイドレールとして摺動しながらスライド移動する。該第一の移動部材１１と第二の移動部材１２は互いの係止部同士が係止することによって一体となって移動する一方、その係止部同士の係止が解除されると、支軸６から作用される閉じ力によって第一の移動部材１１のみが移動する。
【００１８】
かかる係止構造も従来と同様であって、図８に底面図を示しているように、第一の移動部材１１には開扉側に向かって手動解除用フック２０が設けられ、第二の移動部材１２には、閉扉側（第一の移動部材１１側）に開口するコの字状に形成された枠体４０の内側に、その開扉側の支持部４１を支点として水平方向に揺動可能に支持された手動解除用係止アーム４２が設けられ、該手動解除用係止アーム４２の先端には手動解除用フック２０を係止するローラ４３が取り付けられている。該手動解除用係止アーム４２は、先端のローラ４３が手動解除用フック２０と係合する方向にバネ４４により付勢され、常時はバネ４４の付勢力によってローラ４３が手動解除用フック２０を係止している。その一方、手動によって扉１０２を閉じようとした場合にその外力がリンク４と支軸６を介して第一の移動部材１１に伝達されると、第二の移動部材１２が保持手段５によって係止されているので、手動解除用係止アーム４２がバネ４４の付勢力に抗して傾動して手動解除用フック２０の係止状態が解除され、第一の移動部材１１のみが閉扉側に向かって移動する。尚、バネ４４の付勢力はナット４５により調節可能となっており、保持手段５が第二の移動部材１２の電気解除用フック４６を係止する力よりも、手動解除用係止アーム４２のローラ４３が手動解除用フック２０を係止する力の方が小さくなるように設定される。また、第二の移動部材１２の枠体４０の開扉側の端面に電気解除用フック４６のベース部４６ａがネジ等により固定されている。かかる第二の移動部材１２の枠体４０と電気解除用フック４６は共に金属製である。
【００１９】
このように、移動部材３は上枠１００に沿って二つの部材が並設された構成であって、通常は、開扉状態において電気解除用フック４６が電気解除用係止アームによって保持されているので、図１及び図２のように、第一の移動部材１１と第二の移動部材１２は一体となって開扉側に位置している。そして、非常時に電気解除用フック４６の係止が解除されると、図４及び図５のように、第一の移動部材１１と第二の移動部材１２が共に閉扉側に移動する。また、手動によって扉１０２を閉じる場合には、図６及び図７のように、扉１０２に作用する外力によって手動解除用フック２０が外れて第一の移動部材１１のみが閉扉側に移動する。
【００２０】
また、第一の移動部材１１は、ケーシング２の内面と摺動する枠体２１と、前記支軸６と、該支軸６を枠体２１に対して相対移動可能とすべく支軸６をケーシング２に沿って案内する支軸ガイド２４とを備えている。枠体２１は、図８乃至図１０及び図１２、図１３に示すように、左右一対の枠部材２２，２３から構成され、一方の枠部材２２の内面に前記手動解除用フック２０が形成されている。各枠部材２２，２３は、図９のように閉扉側に位置して上下寸法の大きい主部２２ａ，２３ａと、開扉側に位置して主部２２ａ，２３ａよりも上下寸法の小さい腕部２２ｂ，２３ｂとから構成されて、全体としてＬ字状に形成されている。主部２２ａ，２３ａは、ケーシング２の上部２ａの内面と側部２ｂの内面と鍔部２ｃの内面に摺動し、腕部２２ｂ，２３ｂは、主部２２ａ，２３ａの開扉側の端部の下部から開扉側に向けて伸びていて、ケーシング２の側部２ｂの内面のうちの下側領域と鍔部２ｃの内面に摺動する。また、主部２２ａ，２３ａは、第二の移動部材１２の枠体４０の開扉側に位置し、腕部２２ｂ，２３ｂは第二の移動部材１２の枠体４０の下側に位置する。尚、両枠部材２２，２３は、金属製のケーシング２の内面との摺動性を良好なものとするために樹脂から成形等により形成され、図８及び図１３のようにネジ２５により水平方向に締結一体化されている。
【００２１】
この両枠部材２２，２３によって前記支軸ガイド２４が左右から挟持されている。該支軸ガイド２４は、金属製であって、枠体２１の腕部２２ｂ，２３ｂから主部２２ａ，２３ａまで伸びていて枠体２１の全長より僅かに短く、第二の移動部材１２の枠体４０や手動解除用係止アーム４２及び手動解除用フック２０の下方に位置している。また、支軸ガイド２４は、図１１，１３に示すように、長方形状の板状の上面壁部２４ａ及び下面壁部２４ｂ（ガイドプレート部）と上面壁部２４ａ及び下面壁部２４ｂの両側縁部同士を上下に連結する側面壁部２４ｃとから断面視横長の偏平角筒状に形成され、下面壁部２４ｂにはスリット２４ｄが形成されている。該スリット２４ｄは、下面壁部２４ｂの閉扉側の端部まで達している。また、支軸ガイド２４の位置決めのために、図１１及び図１２のように、支軸ガイド２４の両側面壁部２４ｃには切欠２４ｅが複数形成され、各枠部材２２，２３の内面には切欠２４ｅと係合する係合突起２２ｃ，２３ｃが形成されている。
【００２２】
かかる支軸ガイド２４に案内される支軸６は、図１２のように、支軸ガイド２４に支持される金属製の芯材６０と、リンク４を支持する金属製の筒状体６１とを備えている。具体的には、芯材６０は、支軸ガイド２４のスリット２４ｄを上下に貫通して下面壁部２４ｂに案内される円柱状の軸部６０ａと、該軸部６０ａの上端部において側方に突出する鍔部６０ｂとから、全体としてＴ字状に形成されている。そして、鍔部６０ｂは、支軸ガイド２４の内側に位置してその下面壁部２４ｂによって支持されると共に下面壁部２４ｂの内面を摺動する。また、鍔部６０ｂは図１０のように矩形であって支軸ガイド２４に対して相対回転不能に構成され、その両側面は支軸ガイド２４の側面壁部２４ｃの内面と対向してそれに案内される。尚、軸部６０ａにはその下端から固定部材としてのボルト６２が螺入されるように雌ネジ部が所定深さ形成されている。
【００２３】
かかる芯材６０の軸部６０ａに筒状体６１が装着される。該筒状体６１は、支軸ガイド２４の下面壁部２４ｂの外面と摺動する上部６１ａと、該上部６１ａよりも細く形成され、その外周面がリンク４を回動可能に支持する支持面となる下部６１ｂとから構成される。尚、リンク４は上鍔付きの例えば樹脂製のスリーブ８を介して筒状体６１の支持面に回動可能に支持されている。そして、支持面よりも大径の座金６３を介してボルト６２を芯材６０に螺入させることで、座金６３によってリンク４が下方から支持されている。また、筒状体６１の下端面６１ｃは芯材６０の軸部６０ａの下端面６０ｃよりも下方に位置しており、従って、ボルト６２を締め付けると芯材６０が下方に引きつけられ、筒状体６１の上端面と芯材６０の鍔部６０ｂの下面とで支軸ガイド２４の下面壁部２４ｂが上下に挟持されて支軸６が支軸ガイド２４に固定される。尚、鍔部６０ｂの下面の中央部と筒状体６１の上端面の中央部にはそれぞれ凹部が形成されて、鍔部６０ｂの下面と筒状体６１の上端面はそれぞれの周縁部において支軸ガイド２４の下面壁部２４ｂに当接する。また、支軸６の移動のために、図１０のように枠体２１の下面には上枠１００に沿った開口２１ａが形成され、該開口２１ａは支軸ガイド２４のスリット２４ｄよりも幅広である。
【００２４】
以上のように構成された非常用扉の閉鎖装置は、通常は所定の開き角度で扉１０２を保持するが、上枠１００への施工後において扉１０２の開き角度を容易に調節することができる。即ち、ボルト６２を緩めると、支軸６は支軸ガイド２４のスリット２４ｄに沿ってスライド移動できる。従って、図９及び図１０のように開扉側に支軸６を移動させたり、図１４及び図１５のように閉扉側に支軸６を移動させたりすることができ、また、ボルト６２を締め付けることで任意の位置に支軸６を固定することができる。このように支軸６を支軸ガイド２４に沿って移動させることで支軸６から保持手段５までの距離を変化させることができ、支軸６から保持手段５までの距離を長くすると開き角度が狭くなり、逆にその距離を短くすると開き角度が大きくなる。図１６は支軸６を開扉側に最大移動させたときの扉１０２の状態を示していてその開き角度は９０度を超えており、図１７は支軸６を閉扉側に最大移動させたときの扉１０２の状態を示していてその開き角度は９０度よりも小さい。また、支軸６をスライド移動させる構成であるので開き角度の調節も容易であって且つ開き角度を微調節することもでき、図１６のように最大の開き角度から図１７のように最小の開き角度までの範囲内で開き角度を任意に設定できる。このように上枠１００から下方に突出した支軸６の下端に位置するボルト６２を締め付けたり緩めたりするので、施工後においてボルト６２を上枠１００の外部から操作して扉１０２の開き角度を容易に調節することができる。
【００２５】
また更に、第一の移動部材１１の枠体２１を樹脂から構成して金属製のケーシング２との摺動性を良くする一方、支軸６を支持する部材である支軸ガイド２４は金属製として必要な強度を確保しており、ケーシング２に対する摺動性と支軸６を支持するための強度とを両立させている。しかも、枠体２１を左右一対の枠部材２２，２３から構成して両枠部材２２，２３で支軸ガイド２４を左右から挟み込む構成であるので第一の移動部材１１の組み立て作業性もよい。
【００２６】
更に、図９、図１２、図１４に示すように、手動解除用係止アーム４２と手動解除用フック２０よりも下側に支軸ガイド２４が配置されているので、支軸６を第二の移動部材１２側にまで移動させることができる。従って、手動解除用係止アーム４２と手動解除用フック２０の係止箇所を跨ぐようにして支軸６を長い距離移動させることができ、扉１０２の開き角度の調節量を大きくすることができる。
【００２７】
尚、本実施形態では、偏平角筒状の支軸ガイド２４の下面壁部２４ｂを板状のガイドプレート部としたが、支軸ガイド２４を角筒状ではなく一枚の板状としてそれをガイドプレート部としてもよい。但し、支軸ガイド２４を角筒状とすることにより強度が向上すると同時に、左右の枠部材２２，２３によって挟持した際に安定化するという利点がある。
【００２８】
尚、上記実施形態では支軸６を第一の移動部材１１における他の構成部材に対して相対移動可能に構成したが、例えば、枠体２１を上下二分割として互いに相対移動可能に構成して両者の相対移動を阻止する固定部材をボルト６２とは別に上枠１００から表出させてもよい。尚、上枠１００から固定部材を下方に突出させなくても上枠１００の下側等の外部から操作可能な態様で固定部材が表出していればよい。また、第一の移動部材１１ではなく第二の移動部材１２に相対移動可能な構成を設けることもできるが、第二の移動部材１２の構造が複雑化すると共に支軸６とは別途の部分に固定部材を設ける必要もあるので、第一の移動部材１１において相対移動可能な構成を設けることが好ましい。特に、上述のように支軸６のボルト６２を固定部材とすれば、別途の固定部材が不要となるうえに、リンク４よりも下方にボルト６２が位置しているので操作しやすい。
【００２９】
また、上記実施形態では、移動部材３が第一の移動部材１１と第二の移動部材１２からなる構成を例に説明したが、移動部材３を単一の構成として、その単一の移動部材３を保持手段５が保持する構成としてもよい。即ち、保持手段５が単一の移動部材３の保持を非常時に電気的に解除すると共に、手動によってもその保持が解除されるように構成してもよい。
【図面の簡単な説明】
【００３０】
【図１】本発明の一実施形態の閉鎖装置の取り付け状態を示す開扉状態の平面図。
【図２】図１に対応した開扉状態の正面図。
【図３】同閉鎖装置の取り付け状態を示す一部断面を含む閉扉状態の側面図。
【図４】同閉鎖装置の取り付け状態を示す一部断面を含む閉扉状態の平面図。
【図５】図４に対応した一部断面を含む閉扉状態の正面図。
【図６】同閉鎖装置の取り付け状態を示す一部断面を含む閉扉状態の平面図。
【図７】図６に対応した一部断面を含む閉扉状態の正面図。
【図８】同閉鎖装置の要部を下方から見た断面図。
【図９】同閉鎖装置の要部を示す一部断面を含む正面図。
【図１０】同閉鎖装置の要部を示す一部断面を含む底面図。
【図１１】同閉鎖装置に使用されている部品の底面図。
【図１２】図９のＰ−Ｐ線断面図。
【図１３】図９のＱ−Ｑ線断面図。
【図１４】同閉鎖装置の要部を示す一部断面を含む正面図。
【図１５】同閉鎖装置の要部を示す一部断面を含む底面図。
【図１６】同閉鎖装置の取り付け状態において最大の開き角度の状態を示す平面図。
【図１７】同閉鎖装置の取り付け状態において最小の開き角度の状態を示す平面図。
【符号の説明】
【００３１】
１…ドアクローザ、２…ケーシング、２ａ…上部、２ｂ…側部、２ｃ…鍔部、２ｄ…蓋体、２ｅ…開口、３…移動部材、４…リンク、５…保持手段、６…支軸、７…カバー、７ａ…長孔、８…スリーブ、１０…主軸、１１…第一の移動部材、１２…第二の移動部材、２０…手動解除用フック、２１…枠体、２１ａ…開口、２２，２３…枠部材、２２ａ，２３ａ…主部、２２ｂ，２３ｂ…腕部、２２ｃ，２３ｃ…係合突起、２４…支軸ガイド、２４ａ…上面壁部、２４ｂ…下面壁部（ガイドプレート部）、２４ｃ…側面壁部、２４ｄ…スリット、２４ｅ…切欠、２５…ネジ、４０…枠体、４１…支持部、４２…手動解除用係止アーム、４３…ローラ、４４…バネ、４５…ナット、４６…電気解除用フック、４６ａ…ベース部、５１…係止ピン、６０…芯材、６０ａ…軸部、６０ｂ…鍔部、６０ｃ…下端面、６１…筒状体、６１ａ…上部、６１ｂ…下部、６１ｃ…下端面、６２…ボルト（固定部材）、６３…座金、１００…上枠、１００ａ…下面上段部、１００ｂ…段差部、１０１…ヒンジ、１０２…扉、１０２ａ…凹部、１０３…ケーシング支持部材、Ａ…開扉方向、Ｂ…閉扉方向、Ｔ…上下方向の軸線、Ｓ…主軸の軌跡
【図１】
0005210623.tif 000002
【図２】
0005210623.tif 000003
【図３】
0005210623.tif 000004
【図４】
0005210623.tif 000005
【図５】
0005210623.tif 000006
【図６】
0005210623.tif 000007
【図７】
0005210623.tif 000008
【図８】
0005210623.tif 000009
【図９】
0005210623.tif 000010
【図１０】
0005210623.tif 000011
【図１１】
0005210623.tif 000012
【図１２】
0005210623.tif 000013
【図１３】
0005210623.tif 000014
【図１４】
0005210623.tif 000015
【図１５】
0005210623.tif 000016
【図１６】
0005210623.tif 000017
【図１７】
0005210623.tif 000018